(57)【要約】      （修正有）【課題】インテリア感覚で飾っておくことができる竣工記念プレートを提供する。【解決手段】３枚の板状部材が折り畳み可能に連結されたプレートであって、中央部に配置された本体プレート２と、本体プレートの両側に配置された一対の袖プレート３、４と、を備えており、各プレートは、ベース部と、ベース部の表面に設けられた表示部と、を備えており、表示部には、新築家屋に関する画像情報Ｐ、Ｍが印刷されている。袖プレート３、４を開いた状態とすれば、自立させることができる。しかも、三枚のプレートによって形成されているので、各プレートの表示部が見えやすいように開いた状態で立たせても安定した状態で自立させることができる。このため、リビングやダイニング等の身近に飾っておくことができるので、家屋を新築する際の記憶を思い出しやすくなる。【選択図】図１
0003195449.tif 000002
【実用新案登録請求の範囲】
【請求項１】
３枚の板状部材が折り畳み可能に連結されたプレートであって、
中央部に配置された本体プレートと、該本体プレートの両側に配置された一対の袖プレートと、を備えており、
各プレートは、
ベース部と、該ベース部の表面に設けられた表示部と、を備えており、
該表示部には、
新築家屋に関する画像情報が印刷されている
ことを特徴する竣工記念プレート。
【請求項２】
前記一対の袖プレートは、
折り畳んだときに、その表面が、前記本体プレートの表面と重なるように連結された内側袖プレートと、
該内側袖プレートを前記本体プレートに重ねた状態で折り畳むと、その表面が、前記内側袖プレートの背面と重なるように連結された外側袖プレートと、を備えており、
前記外側プレートの表示部には、
新築家屋の完成時の家族の撮影画像が含まれており、
前記本体プレートの表示部には、
新築家屋における家族の思い入れ部分の撮影画像が含まれており、
前記内側プレートの表示部には、
新築家屋の外観全景の撮影画像が含まれている
ことを特徴する請求項１記載の竣工記念プレート。
【請求項３】
前記各袖プレートは、
前記本体プレートに対して１８０°以上に開くことができるように連結されている
ことを特徴とする請求項１または２記載の竣工記念プレート。
【請求項４】
前記表示部には、
その表面を覆うカバー層が設けられている
ことを特徴とする請求項１、２または３記載の竣工記念プレート。
【考案の詳細な説明】
【技術分野】
【０００１】
本考案は、竣工記念プレートに関する。さらに詳しくは、家屋を新築した際の記念プレートとして使用される竣工記念プレートに関する。
【背景技術】
【０００２】
家屋を新築することは、施主や家族にとっては、一生に一度あるかないかの一大イベントであり、新築の家屋では、施主の様々なこだわり、言い換えれば、思い入れが込められている。例えば、家屋の全体構造はもちろん、各部屋の内装や廊下や階段など細部にわたって、様々な思いが込められている。
【０００３】
このため、新築家屋の竣工を、写真として残しておくことが、一般的に行われている。例えば、家屋を施工業者等から贈呈されるような新築家屋の外観写真を加工した記念プレートがある。また、施工初期から竣工に至るまでを撮影した写真をアルバムにしたものなどがある（例えば、特許文献１〜２）。
【先行技術文献】
【特許文献】
【０００４】
【特許文献１】特開２００４−９３４３号公報
【特許文献２】実用新案登録第３０６３４４４号公報
【考案の概要】
【考案が解決しようとする課題】
【０００５】
しかるに、特許文献１〜２のアルバムでは、複数の思い出の写真が貼られているものの、見たい箇所を開いた状態で記念プレートのように立てかけて飾っておくことは難しいし、飾っておくには嵩張ってしまう。このため、特許文献１〜３のアルバムは、一時的に身近においておくものの、しばらくすると本棚等に収納されてしまうというのが実情である。
【０００６】
もし、現在、新築家屋の写真を家族が集うリビングやダイニング等に飾っておけるような写真プレートがあれば、新築家屋に対する施主や家族の思い出を常に見える状況とできるので、かかるプレートが望まれている。
【０００７】
本考案は上記事情に鑑み、インテリア感覚で飾っておくことができる竣工記念プレートを提供することを目的とする。
【課題を解決するための手段】
【０００８】
第１考案の竣工記念プレートは、３枚の板状部材が折り畳み可能に連結されたプレートであって、中央部に配置された本体プレートと、該本体プレートの両側に配置された一対の袖プレートと、を備えており、各プレートは、ベース部と、該ベース部の表面に設けられた表示部と、を備えており、該表示部には、新築家屋に関する画像情報が印刷されていることを特徴する。
第２考案の竣工記念プレートは、第１考案において、前記一対の袖プレートは、折り畳んだときに、その表面が、前記本体プレートの表面と重なるように連結された内側袖プレートと、該内側袖プレートを前記本体プレートに重ねた状態で折り畳むと、その表面が、前記内側袖プレートの背面と重なるように連結された外側袖プレートと、を備えており、前記外側プレートの表示部には、新築家屋の完成時の家族の撮影画像が含まれており、前記本体プレートの表示部には、新築家屋における家族の思い入れ部分の撮影画像が含まれており、前記内側プレートの表示部には、新築家屋の外観全景の撮影画像が含まれていることを特徴する。
第３考案の竣工記念プレートは、第１または第２考案において、前記各袖プレートは、前記本体プレートに対して１８０°以上に開くことができるように連結されていることを特徴とする。
第４考案の竣工記念プレートは、第１、第２または第３考案において、前記表示部には、その表面を覆うカバー層が設けられていることを特徴とする。
【考案の効果】
【０００９】
第１考案によれば、袖プレートを開いた状態とすれば、自立させることができる。しかも、三枚のプレートによって形成されているので、各プレートの表示部が見えやすいように開いた状態で立たせても安定した状態で自立させることができる。このため、リビングやダイニング等の身近に飾っておくことができるので、家屋を新築する際の記憶を思い出しやすくなる。
第２考案によれば、各プレートの表示部を見れば、家屋を新築したときの状況等を思い返しながら鑑賞することができる。しかも、畳まれた状態から各袖プレートを開いていくと、そのときの記憶を物語風に鑑賞することができる。具体的には、まず、外側袖プレートを開くことによって、新築家屋の完成時の家族の表情を鑑賞することができる。この表示部では、新しい住まいが完成したときの喜びを思い出しながら鑑賞することができる。そして、内側袖プレートを開けば、視線は、外側袖プレートの表示部から本体プレートの表示部に移動する。視線が移動した先には、本体プレートの表示部がある。この表示部では、新築家屋における家族の思い入れ部分を思い出しながら鑑賞することができる。そして、視線は、本体プレートの表示部から内側袖プレートの表示部へ移動する。この表示部では、新築時の家屋の外観全景が表示されているので、当時の記憶全体を思い返すことができる。
第３考案によれば、各袖プレートを本体プレートの背面よりも後方まで開くことができる。このため、自立させる際の形状の自由度を向上させることができる。例えば、各袖プレートの外方端縁同士が略接するまで開けば、プレートを略三角柱状とすることができる。したがって、リビングやダイニング、玄関等に飾れば、インテリアとして機能させることができる。
第４考案によれば、各プレートの表示部の表面がカバー層によって覆われているので、表示部を、埃や汚れ紫外線等から保護することができる。このため、長い間、室内に飾っておいても、表示部の劣化を抑制することができので、時間がたっても、そのときの記憶をより鮮明な状態で思い出すことができる。
【図面の簡単な説明】
【００１０】
【図１】本実施形態の竣工記念プレート１の概略図である。
【図２】本実施形態の竣工記念プレート１の使用状況の概略説明図であり、（Ａ）は畳んだ状態の概略説明図であり、（Ｂ）は外側袖プレート４を開いた状態の概略説明図であり、（Ｃ）はさらに内側袖プレート３を開いた状態の概略説明図である。
【図３】本実施形態の竣工記念プレート１を自立させた際の一態様を示した概略説明図である。
【図４】図２（Ｂ）の概略横断面の概略説明図である。
【図５】本実施形態の竣工記念プレート１を自立させた状態を上から見た場合の概略説明図である。
【考案を実施するための形態】
【００１１】
つぎに、本考案の実施形態を図面に基づき説明する。
本考案の竣工記念プレートは、家屋を新築した際にリビングやダイニング、玄関等にインテリア感覚で飾ることができるプレートである。
【００１２】
なお、本明細書中の家屋の新築には、家屋を新しく建てることはもちろん、家屋をリフォームして新しく建て直すことも含む概念である。
【００１３】
つぎに、本実施形態の竣工記念プレート１を説明する。
まず、本実施形態の竣工記念プレート１の詳細を説明する前に、本実施形態の竣工記念プレート１の特徴を説明する。
本実施形態の竣工記念プレート１は、３枚のプレートが連結されたプレートであって、3つ折りに折り畳むことができるものであり、開いた状態では、自立させることができるものである。
【００１４】
図１に示すように、本実施形態の竣工記念プレート１（以下、単に竣工記念プレート１という）は、３枚の板状のプレート２、３、４が折り畳み可能に連結されたものである。具体的には、中央部に配置された本体プレート２と、この本体プレート２の両側に設けられた一対の袖プレート３、４とを備えている。
【００１５】
この竣工記念プレート１の各プレート２、３、４には、その表面に家屋の新築に関する情報を画像として処理した画像情報Ｉが印刷されている。
【００１６】
この画像情報Ｉとしては、家屋に対する施主や家族の思い出の情報であれば、とくに限定されない。例えば、家屋に対する施主や家族の思い出の写真Ｐや、そのときのメッセージＭなどを挙げることができる。この写真Ｐとしては、家族写真Ｐや家屋の外観写真Ｐはもちろん、家屋を新築した際の新築家屋における思いを込めた箇所やこだわりの箇所の写真Ｐなどを挙げることができる。
【００１７】
なお、図１において、符号Ｐが画像情報Ｉのデジタル画像写真であり、符号Ｍが画像情報Ｉのデジタルメッセージである。以下では、画像情報Ｉのデジタル画像写真Ｐを単に写真Ｐ、画像情報Ｉのデジタルメッセージを単にメッセージＭという。
【００１８】
以上のごとき画像情報Ｉが印刷された各プレート２、３、４は、上述したように本体プレート２を中心に、本体プレート２の左右（図１では左右方向）の端縁に沿って袖プレート３、４が連結されている。つまり、本実施形態の竣工記念プレート１は、袖プレートを開いた状態とすれば、３枚の各プレート２、３、４が左右方向に並んだ状態で配設されている（図２（Ｃ）参照）。
図２（Ｃ）に示すように、本実施形態の竣工記念プレート１は、各プレート２、３、４の下端縁が略同一面上に位置するように形成されている。
このため、竣工記念プレート１を起立した状態で、袖プレート３、４の外端縁が本体プレート２の表面よりも前方に位置するように配設すれば、竣工記念プレート１を開いた状態で安定して自立させることができる（図１参照）。
【００１９】
しかも、図１に示すように、本実施形態の竣工記念プレート１は、３枚のプレート２、３、４で形成されているので、各プレート２、３、４の表示部ｂの画像情報Ｉに表示された写真ＰやメッセージＭを見えやすい状態となるまで袖プレート３、４を開いても、安定した状態で自立させることができる（図１参照）。
【００２０】
このため、竣工記念プレート１を開いた状態でリビングやダイニング等の身近に飾っておけば、家屋を新築する際の思い出の写真Ｐを常に見ることができるので、家屋を新築する際の記憶を思い出しやすくなる。
しかも、リビングや玄関などに飾っていれば、家族以外の人の目に触れる。このため、家族だけでなく、親族や友人などと一緒に鑑賞することで、家族以外の人にも家屋を新築する際の思い出を一緒に共有することができる。
【００２１】
つぎに、図２に示すように、三つ折りに折り畳んだ状態の竣工記念プレート１を開いて鑑賞する状況を説明する。
【００２２】
図２（Ａ）に示すように、まず、竣工記念プレート１は、袖プレート３、４を折り畳めば本体プレート２と同じ大きさとなるように折り畳むことができる。そして、かかる状態から、袖プレート３、４を開いていけば、竣工記念プレート１の各プレート２、３、４の表面に印刷された所定の写真Ｐを鑑賞することができる（図２（Ａ）→図２（Ｂ）→図２（Ｃ））。
【００２３】
具体的には、図２に示すように、竣工記念プレート１を閉じた状態から開いていくと、各プレート２、３、４の表面に印刷された所定の写真Ｐによって、家屋を新築したときの状況等を思い返しながら鑑賞することができる。しかも、畳まれた状態から各袖プレート３、４を開いていくと、そのときの記憶を物語風に鑑賞することができる。
【００２４】
なお、図２に示すように、各プレート２、３、４の表面に、写真Ｐに関するメッセージＭ等を印刷すれば、竣工記念プレート１を開いたときに、メッセージＭと写真Ｐをリンクすることによって、思い出をよりはっきりと思い出すことができるし、写真Ｐだけでは忘れ欠けていた思い出も、かかるメッセージＭ等を印刷することによって、思い出しやすくなる。
【００２５】
以下、より具体的に説明する。
図１および図２に示すように、竣工記念プレート１の袖プレート３、４は、折り畳んだときに内側に配置される内側袖プレート３と、折り畳んだときに内側袖プレート３を覆うようにして外側に配置される外側袖プレート４と、からなる。
【００２６】
図１または図２に示すように、内側袖プレート３は、その表面に新築家屋の外観全景の写真Ｐが印刷されている。この内側袖プレート３は、その内端縁が本体プレート２の一の側端縁に連結されている。
【００２７】
図１または図２に示すように、外側袖プレート４は、その表面に家屋の新築が完成した際の家族を撮影した写真Ｐが印刷されており、その下方には、家屋が完成した日付やそのときの家族の思いなどのメッセージＭが印刷されている。そして、この外側袖プレート４は、その内端縁が本体プレート２の他の側端縁に連結されている。
【００２８】
そして、図１または図２に示すように、内側袖プレート３と外側袖プレート４の間に挟まれるよう配設された本体プレート２の表面には、新築の家屋における施主や家族の思い入れ部分（例えば、家屋の全体構造はもちろん、各部屋の内装や廊下や階段など）の写真Ｐが印刷されており、かかる写真Ｐの近傍に、そのときの思い出や写真Ｐに関するメッセージＭが印刷されている。
【００２９】
このため、図２に示すように、折り畳まれた状態の竣工記念プレート１を、外側袖プレート４、内側袖プレート３の順で開いていく（図２（Ａ）→図２（Ｂ）→図２（Ｃ））。まず、外側袖プレート４を開いた人は、新築家屋の完成時の家族の表情を鑑賞することができる。この外側袖プレート４の表面に印刷された写真ＰやメッセージＭ等を見ることによって、新しい住まいが完成したときの喜びを思い出しながら鑑賞することができる。
【００３０】
つぎに、内側袖プレート３を開くと（図２（Ｃ））、開いた人の視線は、外側袖プレート４の表面から本体プレート２の表面に移動する。そして、見ている人の視線が移動した先には、本体プレート２の表面に印刷された写真Ｐが存在する。この本体プレート２の表面に印刷された写真Ｐは、新築の家屋における施主や家族の思い入れ部分の写真Ｐが印刷されているので、新築家屋における家族の思い入れ部分を思い出しながら鑑賞することができる。
【００３１】
そして、開いた人の視線は、最後に、本体プレート２の表面から内側袖プレート３の表面へ移動する。この内側袖プレート３の表面には、新築時の家屋の外観全景が表示されているので、当時の記憶全体を思い返すことができる。
【００３２】
なお、各プレート２、３、４の表面に印刷される画像情報Ｉに表示される写真Ｐの表示数は、とくに限定されない。例えば、外側袖プレート４では、家族写真Ｐが１枚だけ表示されているので、家族一人一人の表情を確認することができる。一方、本体プレート２では、複数の写真Ｐを表示すれば、家族の一人一人の思い入れ箇所や部分を表示することができる。
【００３３】
（本実施形態の竣工記念プレート１の構造の詳細）
つぎに、本実施形態の竣工記念プレート１の構造について説明する。
図１および図４に示すように、本実施形態の竣工記念プレート１は、３枚のプレート２、３、４が連結部２ｓによって連結されたものである。具体的には、外側袖プレート４は、その内側端縁が本体プレート２の一の外側端縁に連結している。また、内側袖プレート３は、その内側端縁が本体プレート２の他の外側端縁に連結している。そして、両袖プレート３、４は、本体プレート２と間に形成された連結部２ｓを介して揺動可能に連結されている。
【００３４】
図１および図４に示すように、各プレート２、３、４は、板状のベース部ａと、この板状のベース部ａの表面上に設けられた表示部ｂと、を備えている。
【００３５】
板状のベース部ａは、その形状や大きさはとくに限定されない。例えば、ベース部ａは、形状が略正方形であり、その大きさが写真の六つ切りサイズと同じか若干大きくなるように形成することができる。この場合、一般的なアルバムとほぼ同じ大きさとすることができるので、他のアルバム等と整頓でき保管がしやすくなる。
【００３６】
図５は、本実施形態の竣工記念プレート１を自立させた状態において、竣工記念プレート１を上面から見たときの図である。
各袖プレート３、４は、開いたときに、本体プレート２とのなす角θが所定の大きさとなるように本体プレート２に連結されている。
図５に示すように、例えば、外側袖プレート４では、外側袖プレート４を開いたときに、外側袖プレート４の表示部４ｂの表面と本体プレート２の表示部２ｂの表面のなす角θが、１８０°以上となるように連結部２ｓを介して本体プレート２に連結されている。
また、内側袖プレート３も外側袖プレート４と同様に、内側袖プレート３の表示部３ｂの表面と本体プレート２の表示部２ｂの表面のなす角θが、１８０°以上となるように連結部２ｓを介して本体プレート２に連結されている。
【００３７】
このため、袖プレート３、４と本体プレート２のなす角θを１８０°よりも小さくすれば（図５（Ｂ）では袖プレート３、４を下側の矢印方向に移動すれば）、竣工記念プレート１を断面略コ字状となる形状で自立させることができる（図５（Ｂ）→図５（Ａ））。
【００３８】
一方、各袖プレート３、４は、本体プレート２のなす角θを１８０°よりも大きくすることができるので（図５（Ｂ）では袖プレート３、４を上側の矢印方向に移動すれば）、袖プレート３、４の外端縁が本体プレート２の背面２Ｂ後方にくるまで開くことができる（図５（Ｂ）→図５（Ｃ））。
この場合、竣工記念プレート１を自立させる際の形状の自由度を向上させることができる。例えば、図３および図５（Ｃ）に示すように、各袖プレート３、４の外方端縁同士が略接するまで開けば、竣工記念プレート１を略三角柱状とすることができる。すると、竣工記念プレート１を図３に示すような形状に変形させた状態で、リビングやダイニング、玄関等に飾れば、インテリアとして機能させることができる。
【００３９】
なお、画像情報Ｉは、家屋の新築に関する情報（例えば、家屋に対する施主や家族の思い出の情報）を画像として印刷したものである。情報画像を印刷する方法は、とくに限定されず、一般に用いられる方法を採用することができる。例えば、家屋をデジタルカメラを用いて撮影して、得られたデジタル画像写真を所定のシートにデジタル画像として貼りつける。そして、このデジタル画像写真が含まれたシートを所定の形状および大きさとなるように形成し印刷すれば、所望の画像情報Ｉを有する表示部ｂを形成することができる。
【００４０】
また、表示部ｂを各プレート２、３、４に設ける方法は、とくに限定されない。例えば、各プレート２、３、４の表面と表示部ｂとの間に接着剤を塗布すれば、表示部ｂを各プレート２、３、４の表面上に貼りつけることができる。
【００４１】
（カバー層Ｒについて）
竣工記念プレート１は、上述したように所望の形状にした状態でリビングやダイニング、玄関等にインテリアのように飾っておくこともできる。しかし、そのままの状態でインテリアと同じように長い間、室内等においていた場合、各プレート２、３、４の表示部ｂは、紫外線や埃等によって経年変化を起こす可能性がある。
そこで、図４に示すように、各プレート２、３、４には、表示部ｂの表面を覆うカバー層Ｒを設けるのが好ましい。この場合、各プレート２、３、４の表示部ｂの表面がカバー層Ｒによって覆われているので、表示部ｂを、埃や汚れ紫外線等から保護することができる。すると、長い間、室内に飾っておいても、表示部ｂの劣化を抑制することができので、時間がたっても、そのときの記憶をより鮮明な状態で思い出すことができる。
【００４２】
カバー層Ｒは、上記のような機能を有するものであれば、その素材はとくに限定されない。例えば、ラミネートフィルムで表示を覆ってもよいし、樹脂製の液体を塗布することによって薄膜層を形成してもよい。
【００４３】
（本実施形態の竣工記念プレート１の素材について）
本実施形態の竣工記念プレート１の素材は、とくに限定されず、各プレート２、３、４を折り畳むことができる素材であればよい。例えば、紙や、ポリエチレンなどの樹脂製、木など、様々な素材を使用することができる。なお、取扱い性が経済性の点では紙製のものが好ましく、デザイン性の観点では木製や樹脂製のものがより好ましい。
【００４４】
なお、上記例では、表示部ｂの画像情報Ｉは、新築家屋に関する情報の場合を説明したが、七五三や成人式、１／２成人式など家族にかかわる思い出のイベントに関する情報を画像情報Ｉに用いることも可能である。この場合、七五三等を行ったときの家族の思い出を思い出しやすくなる。
【産業上の利用可能性】
【００４５】
本考案の竣工記念プレートは、家屋を新築したり、リフォームしたりしたときの贈り物として適している。
【符号の説明】
【００４６】
１        竣工記念プレート
２        本体プレート
３        内側袖プレート
４        外側袖プレート
ａ        ベース部
ｂ        表示部
Ｉ        画像情報
【図１】
0003195449.tif 000003
【図２】
0003195449.tif 000004
【図３】
0003195449.tif 000005
【図４】
0003195449.tif 000006
【図５】
0003195449.tif 000007